(57)【要約】【課題】簡易な構成で、複数の調光式照明装置の非調光時に対する調光時の削減電力量を監視すること。【解決手段】電源９からリレー１２を介して電力供給される複数の調光式照明装置２０の非調光時に対する調光時の電力削減状態を監視する電力監視装置であって、リレー１２の接続状態を検出するリレー接続状態検出部１４と、リレー１２の後段に接続されて複数の調光式照明装置２０に供給される電力量を測定する電力量測定部１３と、リレー１２が接続された状態における複数の調光式照明装置２０の非調光時の定格電力にリレー１２が接続された接続時間を乗算した定格電力量から、前記接続時間において電力量測定部１３によって測定された電力量の増分を減算した値を複数の調光式照明装置２０の削減電力量として算出する削減電力量算出部７と、削減電力量算出部７が算出した削減電力量を表示部５に表示出力する処理を行う出力処理部８と、を備える。【選択図】図１
2016219149.tif 000002
【特許請求の範囲】
【請求項１】
電源からリレーを介して電力供給される複数の調光式照明装置の非調光時に対する調光時の電力削減状態を監視する電力監視装置であって、
前記リレーの接続状態を検出するリレー接続状態検出部と、
前記リレーの後段に接続されて前記複数の調光式照明装置に供給される電力量を測定する電力量測定部と、
前記リレーが接続された状態における前記複数の調光式照明装置の非調光時の定格電力に前記リレーが接続された接続時間を乗算した定格電力量から、前記接続時間において前記電力量測定部によって測定された電力量の増分を減算した値を前記複数の調光式照明装置の削減電力量として算出する削減電力量算出部と、
前記削減電力量算出部が算出した削減電力量を表示部に表示出力する処理を行う出力処理部と、
を備えたことを特徴とする電力監視装置。
【請求項２】
前記複数の調光式照明装置は、
照明領域の照度を検出する調光センサと、
前記調光センサが検出した照度をもとに各調光式照明装置の調光制御を行う調光制御装置と、
を備えた照明設備であり、
前記照明設備は、複数設けられ、前記電力量測定部に並列接続されることを特徴とする請求項１に記載の電力監視装置。
【請求項３】
前記リレー、前記リレー接続状態検出部、前記電力量測定部、及び、前記複数の調光式照明装置を１組とする照明リモート設備が複数設けられ、前記照明リモート設備は、前記削減電力量算出部に並列接続されることを特徴とする請求項１または２に記載の電力監視装置。
【請求項４】
前記出力処理部は、前記削減電力量の変化を時系列で表示出力することを特徴とする請求項１〜３のいずれか一つに記載の電力監視装置。
【請求項５】
前記削減電力量算出部は、所定サンプリング間隔時間毎に前記削減電力量を算出し、
前記出力処理部は、前記所定サンプリング間隔時間毎の前記削減電力量の変化を時系列で表示出力する処理を行うことを特徴とする請求項１〜４のいずれか一つに記載の電力監視装置。
【請求項６】
電源からリレーを介して電力供給される複数の調光式照明装置の非調光時に対する調光時の電力削減状態を監視する電力監視方法であって、
前記リレーが接続された状態における前記複数の調光式照明装置の非調光時の定格電力に前記リレーが接続された接続時間を乗算した定格電力量から、前記接続時間において前記複数の調光式照明装置に供給された電力量の増分を減算した値を前記複数の調光式照明装置の削減電力量として算出し、算出された削減電力量を表示出力することを特徴とする電力監視方法。
【請求項７】
前記削減電力量の変化を時系列で表示出力することを特徴とする請求項６に記載の電力監視方法。
【請求項８】
前記削減電力量を所定サンプリング間隔時間毎に算出し、算出された前記所定サンプリング間隔時間毎の前記削減電力量の変化を時系列で表示出力することを特徴とする請求項６または７に記載の電力監視方法。
【発明の詳細な説明】
【技術分野】
【０００１】
本発明は、簡易な構成で、複数の調光式照明装置の非調光時に対する調光時の削減電力量を監視することができる電力監視装置及び電力監視方法に関する。
【背景技術】
【０００２】
近年、社会的に省エネルギー化の要求が高まっており、照明の分野でも、調光式ＬＥＤ照明の導入が増えている。建築分野では、トップライト（天窓）などを利用して自然光を室内に取り込み、調光センサによって室内照度が設定値となるようにＬＥＤ照明出力を低下させて、照明にかかる消費電力を抑えるようにしている。
【０００３】
一方、オフィスビルやテナントビルなどの建物では、ＢＥＭＳ（Building Energy Management System）と呼ばれるビルエネルギー管理システムが用いられている。ＢＥＭＳは、照明装置や空調装置などの種々のビル設備の電力使用量を制御し、電力使用量の削減を図るシステムである（特許文献１参照）。
【先行技術文献】
【特許文献】
【０００４】
【特許文献１】特開２０１５−４３１８９号公報
【発明の概要】
【発明が解決しようとする課題】
【０００５】
上述したＢＥＭＳなどを用いて調光式ＬＥＤ照明装置の削減電力量を監視しようとする場合、削減電力量は、調光式ＬＥＤ照明装置の装置数分のオンオフ状態情報と、調光式ＬＥＤ照明装置の調光率情報とを所定サンプリング間隔毎に取得して算出する。
【０００６】
具体的には、所定サンプリング間隔時間における調光式ＬＥＤ照明装置１台の削減電力量［Ｗｈ］は、その調光式ＬＥＤ照明装置の消費電力が調光率にほぼ比例する場合には、調光式ＬＥＤ照明装置のオンオフ状態情報がオンのときに、（定格電力［Ｗ］−調光率×定格電力［Ｗ］）×所定サンプリング時間[ｍｉｎ]／６０［ｍｉｎ］  として得ることができる。そして、総削減電力量［Ｗｈ］は、オンオフ状態情報がオンとなっている各調光式ＬＥＤ照明装置の台数分の積算を行うことによって得られる。
【０００７】
上述した総削減電力量の監視では、各調光式ＬＥＤ照明装置から、オンオフ状態情報及び調光率情報を所定サンプリング間隔で得る必要がある。このため、各調光式ＬＥＤ照明装置は、電力監視装置との間の通信を確保するために、バックネット（BACnet：Building Automation and Control Network）などの通信インターフェースを追加設置するとともに、通信線などの通信媒体を配置する必要がある。
【０００８】
また、上述した総削減電力量の監視は、サンプリング時点での情報に過ぎないため、監視精度を高くするめに所定サンプリング間隔を短くする必要がある。この結果、所定サンプリング間隔ごとに取得される、オンオフ状態情報及び調光率情報のデータ量が多くなり、削減電力量の演算負荷が大きくなる。さらに、データ量が多いと、データを格納する格納手段が大型化する。
【０００９】
本発明は、上記に鑑みてなされたものであって、簡易な構成で、複数の調光式照明装置の非調光時に対する調光時の削減電力量を監視することができる電力監視装置及び電力監視方法を提供することを目的とする。
【課題を解決するための手段】
【００１０】
上述した課題を解決し、目的を達成するために、本発明にかかる電力監視装置は、電源からリレーを介して電力供給される複数の調光式照明装置の非調光時に対する調光時の電力削減状態を監視する電力監視装置であって、前記リレーの接続状態を検出するリレー接続状態検出部と、前記リレーの後段に接続されて前記複数の調光式照明装置に供給される電力量を測定する電力量測定部と、前記リレーが接続された状態における前記複数の調光式照明装置の非調光時の定格電力に前記リレーが接続された接続時間を乗算した定格電力量から、前記接続時間において前記電力量測定部によって測定された電力量の増分を減算した値を前記複数の調光式照明装置の削減電力量として算出する削減電力量算出部と、前記削減電力量算出部が算出した削減電力量を表示部に表示出力する処理を行う出力処理部と、を備えたことを特徴とする。
【００１１】
また、本発明にかかる電力監視装置は、上記の発明において、前記複数の調光式照明装置は、照明領域の照度を検出する調光センサと、前記調光センサが検出した照度をもとに各調光式照明装置の調光制御を行う調光制御装置と、を備えた照明設備であり、前記照明設備は、複数設けられ、前記電力量測定部に並列接続されることを特徴とする。
【００１２】
また、本発明にかかる電力監視装置は、上記の発明において、前記リレー、前記リレー接続状態検出部、前記電力量測定部、及び、前記複数の調光式照明装置を１組とする照明リモート設備が複数設けられ、前記照明リモート設備は、前記削減電力量算出部に並列接続されることを特徴とする。
【００１３】
また、本発明にかかる電力監視装置は、上記の発明において、前記出力処理部は、前記削減電力量の変化を時系列で表示出力することを特徴とする。
【００１４】
また、本発明にかかる電力監視装置は、上記の発明において、前記削減電力量算出部は、所定サンプリング間隔時間毎に前記削減電力量を算出し、前記出力処理部は、前記所定サンプリング間隔時間毎の前記削減電力量の変化を時系列で表示出力する処理を行うことを特徴とする。
【００１５】
また、本発明にかかる電力監視方法は、電源からリレーを介して電力供給される複数の調光式照明装置の非調光時に対する調光時の電力削減状態を監視する電力監視方法であって、前記リレーが接続された状態における前記複数の調光式照明装置の非調光時の定格電力に前記リレーが接続された接続時間を乗算した定格電力量から、前記接続時間において前記複数の調光式照明装置に供給された電力量の増分を減算した値を前記複数の調光式照明装置の削減電力量として算出し、算出された削減電力量を表示出力することを特徴とする。
【００１６】
また、本発明にかかる電力監視方法は、上記の発明において、前記削減電力量の変化を時系列で表示出力することを特徴とする。
【００１７】
また、本発明にかかる電力監視方法は、上記の発明において、前記削減電力量を所定サンプリング間隔時間毎に算出し、算出された前記所定サンプリング間隔時間毎の前記削減電力量の変化を時系列で表示出力することを特徴とする。
【発明の効果】
【００１８】
本発明によれば、電源からリレーを介して電力供給される複数の調光式照明装置の非調光時に対する調光時の電力削減状態を監視する際、前記リレーが接続された状態における前記複数の調光式照明装置の非調光時の定格電力に前記リレーが接続された接続時間を乗算した定格電力量から、前記接続時間において前記複数の調光式照明装置に供給された電力量の増分を減算した値を前記複数の調光式照明装置の削減電力量として算出し、算出された削減電力量を表示出力するようにしている。すなわち、本発明は、各調光式照明装置から得られる状態情報ではなく、各調光式照明装置に電源を供給する上流側の１つの電力線の電力情報をもとに削減電力量を算出するようにしているので、削減電力量の算出に必要な情報量が削減されることによって削減電力量の演算負荷が軽減され、かつ、削減電力量の算出に必要な情報量を獲得するための構成が削減される。この結果、簡易な構成で、複数の調光式照明装置の非調光時に対する調光時の削減電力量を監視することができる。
【図面の簡単な説明】
【００１９】
【図１】図１は、本発明の実施の形態である電力監視装置を含む照明システムの構成を示すブロック図である。
【図２】図２は、図１に示した制御部による削減電力監視処理手順を示すフローチャートである。
【図３】図３は、削減電力量の表示処理例を示す図である。
【図４】図４は、所定サンプリング間隔時間毎に削減電力量を求めた場合における削減電力量の表示処理例を示す図である。
【発明を実施するための形態】
【００２０】
以下、添付図面を参照して本発明を実施するための形態について説明する。
【００２１】
（全体構成）
図１は、本発明の実施の形態である電力監視装置を含む照明システム１の構成を示すブロック図である。この照明システム１は、例えばオフィスビルに設けられる。図１に示すように、照明システム１は、ネットワークＮに、監視装置２及び照明リモート設備Ａ１が接続される。照明リモート設備Ａ１は、例えば、オフィスビルの所定階に設けられる設備の一例である。
【００２２】
（照明リモート設備及び照明設備）
照明リモート設備Ａ１は、外部の電源９に接続されるリレー１２、リレー１２のオンオフ状態（接続状態）及びオン時間（接続時間）などのリレー接続状態を検出するリレー接続状態検出部１４、リレー１２の後段に設けられて電力線Ｌを流れる電力量を測定し積算値として出力する電力量測定部１３、電力量測定部１３の後段で電力線Ｌを介して接続される照明設備Ａ２、及び、ネットワークＮに接続されるリモート装置１１を有する。
【００２３】
リレー接続状態検出部１４は、リレー１２の接続状態及び接続時間を検出し、リモート装置１１及びネットワークＮを介して監視装置２に出力する。なお、接続時間は、接続状態の変化をもとに、監視装置２側で検出するようにしてもよい。
【００２４】
電力量測定部１３は、測定した電力量、すなわち照明設備に供給される電力量の積算値を、リモート装置１１及びネットワークＮを介して監視装置２に出力する。電力量測定部１３は、常に電力量を測定してその積算値を保持している。
【００２５】
照明設備Ａ２では、複数の調光式照明装置２０、調光センサ２１、及び、調光制御部２２が電力線Ｌに接続される。また、複数の調光式照明装置２０及び調光センサ２１と、調光制御部２２とは、制御線Ｌａを介して接続される。調光センサ２１は、複数の調光式照明装置２０による照明領域の照度を検出する。調光制御部２２は、制御線Ｌａを介して調光センサ２１から取得した照度をもとに、制御線Ｌａを介して各調光式照明装置２０の調光率を制御する。なお、複数の調光式照明装置２０の照明領域には、天窓などによって外部の自然光が室内に取り込まれる。調光制御部２２は、調光センサ２１によって検出された照度が設定値となるように各調光式照明装置２０の調光率を調整して照明出力を低下させて、照明にかかる消費電力を抑えるようにしている。また、各調光式照明装置２０は、ＬＥＤ照明装置であり、ＰＷＭ制御によって調光率を制御する。
【００２６】
図１では、電力量測定部１３に、１つの照明設備Ａ２が接続されているが、電力量測定部１３に、電力線Ｌを介して複数の照明設備Ａ２を並列接続してもよい。また、図１では、ネットワークＮに、１つの照明リモート設備Ａ１が接続されているが、ネットワークＮに複数の照明リモート設備Ａ１を接続するようにしてもよい。
【００２７】
（監視装置）
監視装置２は、制御部３、入力部４、表示部５、及び、記憶部６を有する。また、制御部３は、削減電力量算出部７及び出力処理部８を有する。削減電力量算出部７は、リレー１２が接続された状態における複数の調光式照明装置２０の非調光時の定格電力にリレー１２が接続された接続時間を乗算した定格電力量から、接続時間において電力量測定部１３によって測定された電力量の増分を減算した値を、複数の調光式照明装置２０の削減電力量として算出する。
【００２８】
出力処理部８は、削減電力量算出部７が算出した削減電力量を表示部５に表示出力する。出力処理部８は、例えば、削減電力量の変化を時系列でグラフ化して表示部５に表示出力する。この際、非調光時の総定格電力の時間変化と、調光時の総調光時電力の時間変化とを示すことが好ましい。
【００２９】
入力部４は、各種の操作入力を行うものである。なお、入力部４と表示部５とは、入力部４と表示部５とを一体化したタッチパネルなどの入出力部として構成してもよい。記憶部６は、リレー１２が接続された状態における全ての調光式照明装置２０の非調光時の総定格電力を予め保持している。なお、照明設備Ａ２が複数設けられる場合には、それぞれの総定格電力が予め保持される。また、記憶部６は、削減電力量算出部７が算出した削減電力量の情報を逐次保持する。制御部３は、入力部４からの操作入力によって、所望の照明設備Ａ２に対する所望期間の削減電力量の情報を読み出し、表示部５に表示出力する。
【００３０】
なお、監視装置２、ネットワークＮ、リモート装置１１、リレー１２、及び、電力量測定部１３は、電力監視装置を構成する。
【００３１】
（削減電力監視処理）
つぎに、図２に示したフローチャートを参照して、制御部３による削減電力監視処理手順について説明する。図２に示すように、まず、削減電力量算出部７は、リレー接続状態検出部１４からの情報をもとに、リレー１２がオン（接続状態）になったか否かを判断する（ステップＳ１０１）。リレー１２がオンになっていない場合（ステップＳ１０１，Ｎｏ）には、この判断処理を繰り返す。一方、リレー１２がオンになった場合（ステップＳ１０１，Ｙｅｓ）、削減電力量算出部７は、電力量測定部１３から、リレーオン時の電力量を取得する（ステップＳ１０２）。その後、リレー１２がオフになったか否かを判断する（ステップＳ１０３）。リレーがオフになっていない場合（ステップＳ１０３，Ｎｏ）には、この判断処理を繰り返す。一方、リレー１２がオフになった場合（ステップＳ１０３，Ｙｅｓ）、削減電力量算出部７は、電力量測定部１３から、リレーオフ時の電力量を取得する（ステップＳ１０４）。
【００３２】
その後、削減電力量算出部７は、リレーオフ時の電力量（積算値）からリレーオン時の電力量（積算値）を減算し、リレー１２の接続時間における増分電力量を算出する（ステップＳ１０５）。さらに、削減電力量算出部７は、リレー１２が接続された状態における複数の調光式照明装置２０の非調光時の定格電力に、リレー１２が接続された接続時間を乗算した定格電力量から、ステップＳ１０５で算出した増分電力量を減算し、この減算した値を削減電力量として算出する（ステップＳ１０６）。なお、非調光時の定格電力は、記憶部６に予め保持されている。また、ＬＥＤ照明の消費電力量は小さいので、削減電力量の算出精度を向上させるために、電力量測定部１３の計測単位のオーダーを通常に比して低くし、計測分解能を高めておくことが好ましい。例えば、電力量測定部１３は、リレー１２が接続された状態における複数の調光式照明装置２０の非調光時の定格電力合計の１／１０の単位で計量することが好ましい。
【００３３】
その後、出力処理部８は、削減電力量算出部７が算出した削減電力量を表示部５に表示出力して（ステップＳ１０７）、一連の処理を終了する。その後、ステップＳ１０１に移行して、本処理を繰り返す。
【００３４】
（表示処理例）
図３は、削減電力量の表示処理例を示す図である。図３では、照明リモート設備Ａ１に対応する設備が４つ存在する場合の一例を示している。また、図３では、時点ｔａで４つの照明リモート設備Ａ１の各リレー１２がオンとなり、時点ｔｂで、１つの照明リモート設備Ａ１のリレー１２がオフとなり、時点ｔｃでは、時点ｔｂでオフとなっていたリレー１２がオンとなり、時点ｔｄで、４つの照明リモート設備Ａ１の各リレー１２がオフとなった場合を示している。線Ｌ１は、接続時間（ｔｂ−ｔａ），（ｔｃ−ｔｂ）、（ｔｄ−ｔｃ）における定格電力を示している。線Ｌ２は、接続時間（ｔｂ−ｔａ），（ｔｃ−ｔｂ）、（ｔｄ−ｔｃ）における増分電力量Ｗｈａ，Ｗｈｂ，Ｗｈｃを、それぞれ対応する接続時間（ｔｂ−ｔａ），（ｔｃ−ｔｂ）、（ｔｄ−ｔｃ）で除算した電力を示している。斜線で示した、ΔＷｈａ，ΔＷｈｂ，ΔＷｈｃの各ブロックは、接続時間（ｔｂ−ｔａ），（ｔｃ−ｔｂ）、（ｔｄ−ｔｃ）における各削減電力量である。このようなグラフ化によって、斜線で示した削減電力量ΔＷｈａ，ΔＷｈｂ，ΔＷｈｃの時間変化を容易に把握することができる。
【００３５】
なお、図４に示すように、所定サンプリング間隔時間Δｔ毎に、削減電力量を求めて表示出力するようにしてもよい。この場合、所定サンプリング間隔時間Δｔにおいて、時点ｔｂ，ｔｃのように、リレー１２のオンオフ状態の変化があった場合、その時点ｔｂ，ｔｃを境にして、リレー１２が接続状態となっている照明リモート設備Ａ１に対する削減電力量の算出を行う。また、所定サンプリング間隔時間Δｔにおいて、リレー１２のオンオフ状態の変化がない場合、前の所定サンプリング間隔時間Δｔにおけるオンオフ状態を維持して、リレー１２が接続状態となっている照明リモート設備Ａ１に対する削減電力量の算出を行う。このような処理を行うことによって、リレー１２の接続時間が長い場合であっても、この接続時間内での調光率変化に伴う削減電力量の時間変化をさらに詳細に把握することができる。なお、時点ｔｂ，ｔｃを含む所定サンプリング間隔時間Δｔでの削減電力量は、この所定サンプリング間隔時間Δｔでの平均値として表示処理するようにしてもよい。なお、所定サンプリング間隔時間Δｔは、例えば１時間である。
【００３６】
また、表示処理は、時間単位、日単位、あるいは月単位での変化を切替表示するようにしてもよい。
【００３７】
（比較例）
ここで、各調光式照明装置２０からオンオフ状態情報及び調光率情報を得て削減電力量を算出する従来の電力監視処理と、本実施の形態による電力監視処理とを比較する。監視対象条件は、調光式照明装置２０が５１４台である場合について考察する。従来の電力監視処理では、調光式照明装置２０毎にサンプリングポイントを設ける必要がある。そして、サンプリング間隔内での電力変動を考慮していないことから、電力計測の精度を上げるためにサンプリング間隔を短くする必要がある。ここでは、サンプリング間隔を１０分（６回／時間）とする。この場合における１日（２４時間）の削減電力量の計算回数は、（６回／時間）×２４時間（１日）×５１４台＝７４，０１６回  となる。
【００３８】
これに対し、本実施の形態では、電力量測定部１３が常に電力量を積算測定しているため、電力量測定部１３に対するサンプリングは不要となり、サンプリングポイントは、リレー１２の設置に対応した、リレー１２の接続状態を検出するリレー接続状態検出部１４のみでよい。リレー１２は、複数の調光式照明装置２０に接続されるため、リレー接続状態検出部１４のサンプリングポイント数は、従来の各調光式照明装置２０に設けられるサンプリングポイント数に比して少ない。例えば、５１４台の調光式照明装置２０に対して設けられるリレー１２の数は８９個となる。また、電力量測定部１３は、サンプリング間隔内で電力量が変化しても、この変化した状態を含めて積算しているため、測定精度が維持され、サンプリング間隔を狭くする必要がない。このため、本実施の形態における、サンプリング間隔を１時間とすることができる。なお、リレー接続状態検出部１４によるリレー１２のオンオフ状態の検出は、数秒程度である。したがって、本実施の形態による１日（２４時間）の削減電力量の演算回数は、（１回／時間）×２４時間（１日）×８９個＝２，１３６回  となる。
【００３９】
この結果、本実施の形態による電力監視処理の演算回数（２，１３６回）は、従来の電力監視処理の演算回数（７４，０１６回）に比して格段に少なくなる。そして、本実施の形態による演算回数の減少は、演算負荷を極めて小さくすることができる。さらに、演算回数が少ないことは、演算結果を記憶する情報量も減るため、記憶領域の削減にもなる。
【００４０】
また、本実施の形態では、各調光式照明装置２０に、バックネット（BACnet）などの通信手段の通信インターフェースを追加設置する必要がないので、構成が簡易になるとともにコストを抑制することができる。
【００４１】
なお、上述した調光式照明装置２０は、ＬＥＤ照明であったが、これに限らず、白熱電球などの照明であってもよい。この場合、位相制御による調光制御を行うことが好ましい。
【００４２】
また、上述した監視装置２は、調光式照明装置２０を含む照明設備Ａ２に対する電力監視を行うものであったが、さらにネットワークＮに接続された空調設備やエレベータなどの電力を使用する設備に対する電力監視も行うようにしてもよい。
【００４３】
なお、上述したリレー１２及び電力量測定部１３には、上述した照明設備Ａ２以外の設備は接続されない。これによって、照明設備Ａ２以外の設備の負荷変動に伴う電力量変動を考慮することなく、照明設備Ａ２のみの削減電力量を簡易に監視することができる。すなわち、天窓などによって外部の自然光が室内に取り込まれることによる照明設備Ａ２の削減電力量を監視することができる。なお、上述した空調設備やエレベータなどの電力の監視に適用する場合には、リレー及び電力量測定部に、空調設備のみ、あるいはエレベータのみを接続することによって、空調設備、あるいはエレベータの削減電力量を監視することができる。
【符号の説明】
【００４４】
１  照明システム
２  監視装置
３  制御部
４  入力部
５  表示部
６  記憶部
７  削減電力量算出部
８  出力処理部
９  電源
１１  リモート装置
１２  リレー
１３  電力量測定部
１４  リレー接続状態検出部
２０  調光式照明装置
２１  調光センサ
２２  調光制御部
Ａ１  照明リモート設備
Ａ２  照明設備
Ｌ  電力線
Ｌａ  制御線
Ｎ  ネットワーク
Ｗｈ，Ｗｈａ，Ｗｈｂ，Ｗｈｃ  増分電力量
Δｔ  所定サンプリング間隔時間
ΔＷｈ，ΔＷｈａ，ΔＷｈｂ，ΔＷｈｃ  削減電力量
【図１】
2016219149.tif 000003
【図２】
2016219149.tif 000004
【図３】
2016219149.tif 000005
【図４】
2016219149.tif 000006